(57)【要約】【課題】プレート部材に対して配線カバーが回転しにくく、電線導出方向を安定に保てるベース付き配線カバーを提供する。【解決手段】ベース付き配線カバー１０は、床面に設置されたフロアプレート４に螺合されて取り付けられるベース部材１４と、ベース部材１４に固定される筐体部１６とを備え、フロアプレート４の開口を通して電線を床面上に導出するためのものである。ベース部材１４と筐体部１６とがねじ４４によって固定される固定部分におけるベース部材１４と筐体部１６の間隙５２は、ベース部材１４をフロアプレート４に回動しなくなるまで螺合された状態から、反対方向にベース部材１４を所定角度だけ回動させて螺合を緩めたときにフロアプレート４に対してベース部材１４が移動する距離ｇ以下に設定されている。【選択図】図８
2018170946.tif 000002
【特許請求の範囲】
【請求項１】
造営面に設置されたプレート部材に螺合されて取り付けられるベース部材と、前記ベース部材に固定される筐体部とを備え、前記プレート部材の開口を通して電線を造営面上に導出するためのベース付き配線カバーであって、
前記ベース部材と前記筐体部とがねじによって固定される固定部分における前記ベース部材と前記筐体部の間隙は、前記ベース部材を前記プレート部材に回動しなくなるまで螺合された状態から、反対方向に前記ベース部材を所定角度だけ回動させて螺合を緩めたときに、前記プレート部材に対して前記ベース部材が移動する距離以下に設定されていることを特徴とする、ベース付き配線カバー。
【請求項２】
前記筐体部は、前記電線を導出するための通線孔と、前記通線孔を塞いだ状態で前記筐体部に設けられたカバー片とを備え、前記カバー片は、前記通線孔の内周部に連結部によって前記筐体部から切り離し可能に一体に連結されており、
前記通線孔には、前記筐体部から切り離された前記カバー片を着脱自在に保持する係止部が設けられていることを特徴とする、請求項１に記載のベース付き配線カバー。
【発明の詳細な説明】
【技術分野】
【０００１】
本開示は、床下から電線を導出するためのベース付き配線カバーに関する。
【背景技術】
【０００２】
例えば、特許文献１には、床下に配設した電源用コンセントや電話用端子装置に接続したケーブル類を床上に引き出すときに使用する通線ガイドを備えたフロアプレートが開示されている。このフロアプレートでは、蓋体に形成した引出口の両側に突片を突設し、引出口に嵌着する通線ガイド部材の左右両側に突片が入り込み得る可能な形成角度を異にした２つの凹溝を凹設している。これにより、ケーブル類の不使用時には通線ガイド部材の天板が蓋本体の上面と同一面を形成するようにできるとともに、ケーブル類の使用時には通線ガイド部材が蓋本体の引出口に傾斜した突出した状態で嵌着されることで通線ガイド部材の通線孔を通してケーブル類を外部に引き出すことができると記載されている。
【先行技術文献】
【特許文献】
【０００３】
【特許文献１】実開平６−８０３２３号公報
【発明の概要】
【発明が解決しようとする課題】
【０００４】
ところで、床下に配線された電力ケーブルや通信ケーブル等の電線を床上に引き出すための配線カバーが知られている。この配線カバーは、床面に設置されたフロアプレート上に床面から突出して常設されることがある。このような配線カバーは、フロアプレートに螺合により取り付けられたベース部材に例えばねじ留めされて固定される。この場合、フロアプレートに対するベース部材の螺合状態が緩いと、配線カバーがベース部材と一体に回転し易く、配線カバーから導出される電線の導出方向が簡単に変わってしまうという課題がある。
【０００５】
本開示の目的は、プレート部材に対して配線カバーが回転しにくく、電線導出方向を安定に保てるベース付き配線カバーを提供することにある。
【課題を解決するための手段】
【０００６】
本開示の一態様であるベース付き配線カバーは、造営面に設置されたプレート部材に螺合されて取り付けられるベース部材と、前記ベース部材に固定される筐体部とを備え、前記プレート部材の開口を通して電線を造営面上に導出するためのベース付き配線カバーであって、前記ベース部材と前記筐体部とがねじによって固定される固定部分における前記ベース部材と前記筐体部の間隙は、前記ベース部材を前記プレート部材に回動しなくなるまで螺合された状態から、反対方向に前記ベース部材を所定角度だけ回動させて螺合を緩めたときに前記プレート部材に対して前記ベース部材が移動する距離以下に設定されていることを特徴とする。
【発明の効果】
【０００７】
本開示に係るベース付き配線カバーによれば、ねじの締め付けによってベース部材に持ち上げ力が作用することで、プレート部材とベース部材との螺合部の摩擦力が大きくなり、ベース部材が回転しにくくなる。その結果、ベース部材に固定された配線カバーの電線導出方向を安定して保つことができる。
【図面の簡単な説明】
【０００８】
【図１】一実施形態の配線カバーの使用状態を示す斜視図である。
【図２】配線カバーの分解斜視図である。
【図３】配線カバーのベース部材を示す（ａ）平面図、および、（ｂ）側面図である。
【図４】配線カバーの筐体部を示す（ａ）斜視図、および、（ｂ）側面図である。
【図５】カバー片が折り取られた状態を示す配線カバーを示す側面図である。
【図６】（ａ）折り取られる前のカバー片を示す筐体部の部分拡大下面図であり、（ｂ）は折り取られたカバー片が通線孔を塞ぐように装着された状態を示す筐体部の部分拡大下面図である。
【図７】配線カバーの天板の斜視図である。
【図８】（ａ）ベース部材にねじで配線カバーが固定された状態を示す縦方向断面図であり、（ｂ）は（ａ）中のＡ部拡大図である。
【図９】図８（ａ）の配線カバーを矢印Ｂ方向から見た下面図である。
【発明を実施するための形態】
【０００９】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において「略」なる用語は、例えば、完全に同じである場合に加えて、実質的に同じとみなせる場合を含む意味で用いられる。さらに、以下において複数の実施形態や変形例などが含まれる場合、それらの特徴部分を適宜に組み合わせて用いることは当初から想定されている。
【００１０】
以下では、ベース付き配線カバーが造営面の一例である床面に設置されている例について説明するが、本開示に係る配線カバーは、例えば、天井、壁等の他の造営面に設置されてもよい。その場合、プレート部材は電線ボックスの壁面を構成するプレート部材であってもよい。
【００１１】
図１は、一実施形態のベース付き配線カバー（以下、適宜に「配線カバー」とだけいう）１０の使用状態を示す斜視図である。配線カバー１０は、床面１上に露出したフロアプレート（プレート部材）４上に設置されて使用される。床面１の下には、内部に電線が配線されている配線パイプ２および配線ボックス３が配設されている。フロアプレート４は、例えばねじ留め等によって配線ボックス３の上部に取り付けられている。フロアプレート４の中央には、図示しない開口が形成されており、この開口を通して電線７が配線ボックス３から配線カバー１０内に引き出される。そして、電線７は、配線カバー１０の通線孔３６から床面１上に導出される。ここで、電線７は、例えば、パソコン等の電気機器に電力を供給する電力ケーブルや、ＬＡＮ(Local Area Network)ケーブル等の通信ケーブルなどである。なお、配線カバー１０の通線孔３６の形成については、後に詳述する。
【００１２】
図２は、配線カバー１０の分解斜視図である。図１および図２に示すように、配線カバー１０は、ベース部材１４、筐体部１６および天板１８を備える。配線カバー１０は、ベース部材１４によってフロアプレート４に固定される。
【００１３】
図３は、配線カバー１０を設置するためのベース部材１４を示す（ａ）平面図、および、（ｂ）側面図である。図２および図３に示すように、ベース部材１４は、略円盤状のフランジ部２０と、フランジ部２０の下面から突出した円筒状の取付部２２とを有する。取付部２２の内側には、配線ボックス３から引き出される電線７が通る開口２４が形成されている。取付部２２の外周面には、図示しない雄ねじ部が形成されている。この雄ねじ部が、フロアプレート４の貫通孔の内周面に形成された雌ねじ部に螺合することによって、ベース部材１４がフロアプレート４に取り付けられる。
【００１４】
ベース部材１４は、例えば、亜鉛合金等の金属からなるダイカスト部品によって好適に構成される。ベース部材１４のフランジ部２０は、径方向に対向する位置に２つのねじ孔２６が形成されている。ねじ孔２６の上部は、フランジ部２０の表面から略円筒状に突出した凸部２８となっている。
【００１５】
また、フランジ部２０の外周部には、径方向に対向する位置に、板厚方向にそれぞれ凹んだ２つの凹部３０が形成されている。本実施形態では、これらの凹部３０の並び方向が上記２つのねじ孔２６の並び方向に対して直交している。このような凹部３０を形成することで、ベース部材１４の取付部２２をフロアプレート４に螺合して取り付けるときに、作業者が手でベース部材１４を容易に回転させることができ、取付作業を簡単かつ迅速に行うことができる。
【００１６】
図４は、配線カバー１０の筐体部１６を示す（ａ）斜視図、および、（ｂ）側面図である。図２および図４に示すように、筐体部１６は、上面視で角部がＲ形状をなす略正方形状をなす天面３２と、天面３２の周縁から垂下した側壁３４とを有する。天面３２と側壁３４で囲まれた筐体部１６の内側には、配線スペースとなる空間が形成されている。筐体部１６は、例えば、ＡＢＳ樹脂等の樹脂材料によって一体に形成されている。
【００１７】
側壁３４は、互いに直交する四方に向いた４つの側面３４ａ，３４ｂ，３４ｃ，３４ｄを含み、各側面３４ａ，３４ｂ，３４ｃ，３４ｄには、通線孔３６がそれぞれ設けられている。通線孔３６は、カバー片３８によって塞がれた状態になっている。カバー片３８は、通線孔３６の形状に対応した形状をなし、より詳しくは上部が半円形で下部が矩形状をなしている。
【００１８】
カバー片３８は、図４（ｂ）に示すように、連結部３７によって通線孔３６の内周部に一体に連結されている。連結部３７は、筐体部１６からカバー片３８を切り離し可能に複数個所に設けるのが好ましい。具体的には、本実施形態では、図４（ｂ）に示すように、連結部３７をカバー片３８の左右両側と上部の３箇所に設けるのが好適である。
【００１９】
図５は、カバー片３８が折り取られた状態を示す配線カバー１０を示す側面図である。図５に示すように、カバー片３８が筐体部１６から折り取られることで、通線孔３６が開口形成される。カバー片３８は、例えば、ペンチ等の工具で掴んで筐体部１６から引き離すようにして折り取ることができる。本実施形態では、筐体部１６に、４つの通線孔３６が９０°ずつずれた位置に設けられており、電線７（図１参照）を導出したい方向に位置する１又は複数のカバー片３８を折り取って用いればよい。なお、通線孔３６の数や向きは、配線カバー１０の設置場所等の仕様に応じて適宜変更することができる。
【００２０】
図６（ａ）は折り取られる前のカバー片３８を示す筐体部１６の部分拡大下面図であり、図６（ｂ）は折り取られたカバー片３８が通線孔３６を塞ぐように装着された状態を示す筐体部１６の部分拡大下面図である。図６（ａ）に示すように、カバー片３８は、折り取られる前は、通線孔３６において側壁３４の外面に近い位置に設けられている。通線孔３６においてカバー片３８の奥側、すなわち、側壁３４の外面から離れた位置には、一対の係止部４０が設けられている。一対の係止部４０は、側壁３４の内面に一体形成されている。一対の係止部４０の間の寸法は、折り取られたカバー片３８を着脱自在に挟持できる幅に形成されている。これにより、図６（ｂ）に示すように、折り取られたカバー片３８を筐体部１６の下方から一対の係止部４０間に挿し込むと、カバー片３８が通線孔３６を塞いだ状態で保持することができる。また、再び通線孔３６を開放するようにカバー片３８を筐体部１６から取り外すこともできる。
【００２１】
このように切り離したカバー片３８を筐体部１６の通線孔３６を塞いだ状態に着脱自在に保持できる構成としたことで、配線カバー１０を別の場所に移設して別の通線孔３６から電線７を導出する場合に、不使用となった通線孔３６を塞ぐことができる。したがって、通線孔３６を開放したままで使用することによる、配線カバー１０の内部への埃やゴミの進入を防止できる。
【００２２】
再び図２および図４を参照すると、筐体部１６の天面３２には、２つの貫通孔４２が形成されている。２つの貫通孔４２は、天面３２の一方の対角方向に並んで配置されている。これらの貫通孔４２にねじ４４を挿入して、ベース部材１４のねじ孔２６に締め付けると、筐体部１６がベース部材１４に固定される。その結果、筐体部１６がフロアプレート４に固定される。
【００２３】
図４（ａ）に示すように、筐体部１６の天面３２は、２つの収納部４５が凹設されている。２つの収納部４５は、上記２つの貫通孔４２の並び方向とは異なるもう１つの対角方向に並んで配置されている。これらの収納部４５は、筐体部１６から切り離されたカバー片３８を収納する収納部として機能する。図４（ａ）には、１つの収納部４５にカバー片３８が収納された状態を一点鎖線で示している。このようにカバー片３８を収納部４５に収納しておくと、筐体部１６の上方は天板１８によって覆われるため、カバー片３８が紛失してしまうことがない。したがって、上述したように配線カバー１０の移設によって、一旦開放した通線孔３６を塞ぐ必要が生じた場合にも、収納されたカバー片３８を収納部４５から取り出して容易に一対の係止部４０間に装着することができる。
【００２４】
図４（ａ），（ｂ）に示すように、筐体部１６の天面３２には、上面視で略十文字状をなすリブ４６が形成されている。リブ４６は、天面３２の強度を補強する機能を有する。また、図４（ｂ）に示すように、リブ４６の上端縁は、天面３２の中央に向かって上り傾斜に形成されている。これにより、後述するように筐体部１６の天面３２を覆って取り付けられる天板１８を内側から支持することができ、天板１８を補強する機能も果たす。
【００２５】
また、図２および図４（ａ）に示すように、筐体部１６の天面３２には、４つの係止孔４８が形成されている。４つの係止孔４８は、天板１８に突設された係止突部５０に対応する位置に形成されている。
【００２６】
図７は、配線カバー１０の天板１８の斜視図である。天板１８は、例えば、ＡＢＳ樹脂等の樹脂材料によって成形されるのが好適である。天板１８は、平面視で筐体部１６の天面３２と同じ大きさおよび形状に形成されている。天板１８の裏面には、４つの係止突部５０が突設されている。係止孔４８は、先端に鉤部を有する。これにより、天板１８を筐体部１６の天面３２に被せて押し込むと、係止突部５０が天面３２の係止孔４８に挿入されて係止される。その結果、天板１８が筐体部１６に着脱可能に取り付けられる。天板１８を取り外すときは、例えばドライバー等の工具を天板１８と筐体部１６との間に挿入してこじると、係止突部５０が弾性変形して係止孔４８から抜け出る。これにより、筐体部１６から天板１８を取り外すことができる。
【００２７】
図８（ａ）はベース部材１４に配線カバー１０が固定された状態を示す縦方向断面図であり、図８（ｂ）は（ａ）中のＡ部拡大図である。
【００２８】
図８（ａ）に示すように、天板１８が筐体部１６に取り付けられたとき、上述したように、筐体部１６の天面３２に形成されたリブ４６の上端縁が、天板１８の裏面に突設したリブ１９に当接または近接して位置している。これにより、床面１上に突出して設置された配線カバー１０に上方から荷重や衝撃が加わった場合（例えば、人によって踏まれる等）でも、天板１８が破損するのを抑制できる。
【００２９】
また、図８（ａ），（ｂ）に示すように、筐体部１６には、天面３２から下方に延出するボス部１７が一体に形成されており、ボス部１７内にはねじ４４を挿通するための貫通孔４２が形成されている。ねじ４４は、筐体部１６の天面３２から貫通孔４２に挿入され、下端部がベース部材１４のねじ孔２６（図３（ａ）参照）に螺合して締め付けられる。
【００３０】
このようにして筐体部１６が固定されるとき、図８（ｂ）に示すように、筐体部１６のボス部１７の下端と、ベース部材１４のねじ孔上端の凸部２８との間には、間隙５２が形成されている。この間隙５２の寸法ｇは、ベース部材１４の取付部２２を配線ボックス３に固定されたフロアプレート４に回動しなくなるまで螺合された状態から、反対方向にベース部材１４を所定角度（例えば、９０°）だけ回動させて螺合を緩めたときにフロアプレート４に対してベース部材１４が移動する距離（例えば、０．５ｍｍ）以下に設定されているのが好適である。
【００３１】
このような間隙５２が形成されることで、ねじ４４を締め付けたとき、筐体部１６の側壁３４の下端がフロアプレート４の表面に当接しているため、ねじ４４の締め込みによってベース部材１４に対して上方に持ち上げられる力が作用する。これにより、ベース部材１４の取付部２２の雄ねじ部とフロアプレート４の雌ねじ部との摩擦力が大きくなって、フロアプレート４に対してベース部材１４が回転しにくくなる。その結果、ベース部材１４に固定される筐体部１６を含む配線カバー１０がフロアプレート４に対して回転しなくなり、配線カバー１０による電線７の導出方向を安定に保つことができる。
【００３２】
また、間隙５２の寸法ｇが、ベース部材１４を所定角度だけ回転させたときに移動する距離以下に設定されていることで、所定角度の範囲内でベース部材１４の角度位置を調整できる。すなわち、ベース部材１４に取り付けられる筐体部１６およびこれを含む配線カバー１０の角度位置を調整したうえで、フロアプレート４に設置することができる。
【００３３】
図９は、図８（ａ）の配線カバー１０を矢印Ｂ方向から見た下面図である。図９に示すように、ベース部材１４のフランジ部２０は、その外周縁が筐体部１６の側壁３４内に位置して、側壁３４の内側面に近接または当接している。本実施形態では、図９中に一点鎖線で示す８か所で、フランジ部２０の外周縁が筐体部１６の側壁３４に当接または近接している。これにより、配線カバー１０の筐体部１６を内側から支持することが可能である。したがって、配線カバー１０に横方向から荷重や衝撃が加わった場合（例えば、人がつまずく、台車の車輪が衝突する等）に、樹脂部材からなる筐体部１６が破損するのを抑制できる。
【００３４】
上述したように、本実施形態の配線カバー１０は、床面１に設置されたフロアプレート４に螺合されて取り付けられるベース部材１４と、ベース部材１４に固定される筐体部１６とを備える。そして、配線カバー１０は、フロアプレート４の開口を通して電線７を床面１上に導出するためのものである。ベース部材１４と筐体部１６とがねじ４４によって固定される固定部分におけるベース部材１４と筐体部１６の間隙５２は、ベース部材１４をフロアプレート４に回動しなくなるまで螺合された状態から、反対方向にベース部材１４を所定角度だけ回動させて螺合を緩めたときに、フロアプレート４に対してベース部材１４が移動する距離ｇ以下に設定されている。この構成によれば、フロアプレート４に対してベース部材１４が回転しにくくなり、配線カバー１０による電線７の導出方向を安定に保つことができる。
【００３５】
また、本実施形態の配線カバー１０において、筐体部１６は、電線７を導出するための通線孔３６と、通線孔３６を塞いだ状態で筐体部１６に設けられカバー片３８とを備える。カバー片３８は、通線孔３６の内周部に連結部３７によって筐体部１６から切り離し可能に一体に連結されている。そして、通線孔３６には、筐体部１６から切り離されたカバー片３８を着脱自在に保持する係止部４０が設けられている。この構成によれば、カバー片３８を折り取って通線孔３６を開通させることにより、簡単に電線７を導出可能になるとともに、折り取ったカバー片３８で通線孔３６を再び塞ぐことができる。
【００３６】
なお、本開示に係るベース付き配線カバーは、上述した実施形態およびその変形例に限定されるものではなく、本願の特許請求の範囲に記載された事項およびその均等な範囲において種々の変形や改良が可能であることはいうまでもない。
【符号の説明】
【００３７】
１  床面、２  配線パイプ、３  配線ボックス、４  フロアプレート（プレート部材  ）、７  電線、１０  ベース付き配線カバー、１４  ベース部材、１６  筐体部、１７    ボス部、１８  天板、１９，４６  リブ、２０  フランジ部、２２  取付部、２４    開口、２６  ねじ孔、２８  凸部、３０  凹部、３２  天面、３４  側壁、３４ａ，３  ４ｂ，３４ｃ，３４ｄ  側面、３６  通線孔、３７  連結部、３８  カバー片、４０    係止部、４２  貫通孔、４５  収納部、４８  係止孔、５０  係止突部、５２  間隙。  
【図１】
2018170946.tif 000003
【図２】
2018170946.tif 000004
【図３】
2018170946.tif 000005
【図４】
2018170946.tif 000006
【図５】
2018170946.tif 000007
【図６】
2018170946.tif 000008
【図７】
2018170946.tif 000009
【図８】
2018170946.tif 000010
【図９】
2018170946.tif 000011